(57)【要約】  空気調和機の室外機は、筐体と、筐体内に設けられ、冷媒を圧縮する圧縮機と、筐体内に設けられ、冷媒と空気との間で熱交換を行う室外熱交換器と、筐体内に設けられ、筐体内を、送風室と、圧縮機が設けられる機械室とに区画する仕切板と、機械室に設けられる電子部品と、機械室に設けられ、圧縮機と室外熱交換器とを接続し、電子部品よりも上方に配置される冷媒配管と、機械室において冷媒配管に接続され、電子部品よりも上方に配置される弁と、冷媒配管及び弁の下方を覆い、冷媒配管から滴下する水が電子部品に落下することを抑制する落下抑制部と、を備える。
2021019758.tif 000002
【特許請求の範囲】
【請求項１】
筐体と、
前記筐体内に設けられ、冷媒を圧縮する圧縮機と、
前記筐体内に設けられ、冷媒と空気との間で熱交換を行う室外熱交換器と、
前記筐体内に設けられ、前記筐体内を、送風室と、前記圧縮機が設けられる機械室とに区画する仕切板と、
前記機械室に設けられる電子部品と、
前記機械室に設けられ、前記圧縮機と前記室外熱交換器とを接続し、前記電子部品よりも上方に配置される冷媒配管と、
前記機械室において前記冷媒配管に接続され、前記電子部品よりも上方に配置される弁と、
前記冷媒配管及び弁の下方を覆い、前記冷媒配管から滴下する水が前記電子部品に落下することを抑制する落下抑制部と、
を備える空気調和機の室外機。
【請求項２】
前記仕切板は、前記筐体の奥行方向に延び、
前記落下抑制部は、
前記弁の下方、側方及び上方を覆うようにくるみ、前記弁の側方の端部が前記仕切板と接触することを抑制する帯状の帯部を有する
請求項１記載の空気調和機の室外機。
【請求項３】
前記仕切板は、前記筐体の幅方向に延び、
前記落下抑制部は、
前記帯部から上方に延び、前記弁の奥行方向の端部が前記仕切板と接触することを抑制する保護部を更に有する
請求項２記載の空気調和機の室外機。
【請求項４】
前記帯部には、
前記弁に接続された前記冷媒配管が挿入されるスリットが形成されている
請求項２又は３記載の空気調和機の室外機。
【請求項５】
前記弁の上方に配置され、前記圧縮機の動作を制御する電気部品を有する電気品箱を更に備え、
前記帯部には、
前記電気部品が挿入されるように切り欠かれた電気部品回避空間が形成されている
請求項２〜４のいずれか１項に記載の空気調和機の室外機。
【請求項６】
前記弁の上方に配置され、前記圧縮機の動作を制御する電気部品を有する電気品箱を更に備え、
前記電気品箱は、
サービス時に点灯する表示部を有し、
前記帯部には、
前記筐体の外側から前記表示部を視認することを許容するように切り欠かれた表示部回避空間が形成されている
請求項２〜５のいずれか１項に記載の空気調和機の室外機。
【請求項７】
前記落下抑制部は、
前記帯部の一端部において折り返された折返し部と、
前記帯部の他端部において、前記帯部が前記弁をくるむ際、前記折返し部に係合する係合部と、を更に有する
請求項２〜６のいずれか１項に記載の空気調和機の室外機。
【請求項８】
前記落下抑制部は、
前記圧縮機の吸音材として使用される繊維を主成分とする材料から構成されている
請求項１〜７のいずれか１項に記載の空気調和機の室外機。
【請求項９】
前記落下抑制部は、フェルトである
請求項１〜８のいずれか１項に記載の空気調和機の室外機。
【請求項１０】
冷媒の流れを切り替える流路切替装置及び冷媒を膨張する膨張部を更に備える請求項１〜９のいずれか１項に記載の空気調和機の室外機と、
冷媒と空気との間で熱交換を行う室内熱交換器を有する室内機と、を備え、
前記室外熱交換器は、
互いに流路が並列する第１の熱交換器と第２の熱交換器とを有し、
前記圧縮機、前記流路切替装置、前記室内熱交換器、前記膨張部、前記室外熱交換器、冷媒の流れを前記第１の熱交換器側又は前記第２の熱交換器側に切り替える前記弁、及び、前記圧縮機と前記流路切替装置との間と前記弁とを接続するバイパス配管が前記冷媒配管によって接続される冷媒回路が形成されている
空気調和機。
【発明の詳細な説明】
【技術分野】
【０００１】
本発明は、弁を備える空気調和機の室外機及び空気調和機に関する。
【背景技術】
【０００２】
従来、空気調和機の室外機として、弁を備える空気調和機の室外機が知られている。弁等に接続される冷媒配管は、冷房運転時に冷却された冷媒が内部をとおると、冷媒配管の外部との温度差によって、結露するおそれがある。特許文献１には、圧縮機と、電磁四方弁と、圧縮機に接続される冷媒配管とが収容された室外機ユニットが開示されている。特許文献１において、電磁四方弁等の電子部品の上方に配置されている冷媒回路のうち、冷媒配管が、電子部品の上方に配置されていない。これにより、特許文献１は、冷媒配管が結露して、露が落下しても、落下した露が電子部品に付着しないようにしようとするものである。
【先行技術文献】
【特許文献】
【０００３】
【特許文献１】特開平１０−１３２３３５号公報
【発明の概要】
【発明が解決しようとする課題】
【０００４】
しかしながら、特許文献１に開示された室外機ユニットにおいて、内部のスペース上、冷媒配管を電子部品の上方に配置する必要がある場合、冷媒配管が結露すると、落下した露が電子部品に付着するおそれがある。【０００５】
本発明は、上記のような課題を解決するためになされたもので、冷媒配管が結露しても、露が電子部品に落下することを抑制する空気調和機の室外機及び空気調和機を提供するものである。
【課題を解決するための手段】
【０００６】
本発明に係る空気調和機の室外機は、筐体と、筐体内に設けられ、冷媒を圧縮する圧縮機と、筐体内に設けられ、冷媒と空気との間で熱交換を行う室外熱交換器と、筐体内に設けられ、筐体内を、送風室と、圧縮機が設けられる機械室とに区画する仕切板と、機械室に設けられる電子部品と、機械室に設けられ、圧縮機と室外熱交換器とを接続し、電子部品よりも上方に配置される冷媒配管と、機械室において冷媒配管に接続され、電子部品よりも上方に配置される弁と、冷媒配管及び弁の下方を覆い、冷媒配管から滴下する水が電子部品に落下することを抑制する落下抑制部と、を備える。
【発明の効果】
【０００７】
本発明によれば、落下抑制部は、電子部品よりも上方に配置される冷媒配管及び弁の下方を覆っている。このため、弁に接続された冷媒配管が結露しても、落下抑制部によって露が下方の電子部品に落下することを抑制することができる。
【図面の簡単な説明】
【０００８】
【図１】実施の形態１に係る空気調和機１を示す回路図である。
【図２】実施の形態１に係る室外機２を示す組立正面斜視図である。
【図３】実施の形態１に係る室外機２を示す組立背面斜視図である。
【図４】実施の形態１に係る室外機２を示す分解正面斜視図である。
【図５】実施の形態１に係る室外機２において前面パネル２１、側面パネル２２及び天面パネル２３が外された斜視図である。
【図６】実施の形態１に係る室外機２において前面パネル２１、側面パネル２２、天面パネル２３及び落下抑制部５０が外された斜視図である。
【図７】実施の形態１に係る冷媒配管５及び落下抑制部５０を示す上面図である。
【図８】実施の形態１に係る冷媒配管５を示す斜視図である。
【図９】実施の形態１に係る冷媒配管５を示す上面図である。
【図１０】実施の形態１に係る落下抑制部５０を示す斜視図である。
【図１１】実施の形態１に係る落下抑制部５０を示す斜視図である。
【図１２】実施の形態１に係る落下抑制部５０を示す展開斜視図である。
【発明を実施するための形態】
【０００９】
以下、本発明の空気調和機の室外機及び空気調和機の実施の形態について、図面を参照しながら説明する。なお、本発明は、以下に説明する実施の形態によって限定されるものではない。また、図１を含め、以下の図面では各構成部材の大きさの関係が実際のものとは異なる場合がある。また、以下の説明において、本発明の理解を容易にするために方向を表す用語を適宜用いるが、これは本発明を説明するためのものであって、これらの用語は本発明を限定するものではない。方向を表す用語としては、例えば、「上」、「下」、「右」、「左」、「前」又は「後」等が挙げられる。
【００１０】
実施の形態１．
図１は、実施の形態１に係る空気調和機１を示す回路図である。図１に示すように、空気調和機１は、室内空間の空気を調整する装置であり、室外機２と、室内機３とを備えている。室外機２には、例えば圧縮機６、流路切替装置７、室外熱交換器８、室外送風機９、膨張部１０、弁１５、バイパス配管１３及びバイパス流量調整装置１４が設けられている。室内機３には、例えば室内熱交換器１１及び室内送風機１２が設けられている。
【００１１】
圧縮機６、流路切替装置７、室外熱交換器８、膨張部１０及び室内熱交換器１１が冷媒配管５により接続されて冷媒回路４が構成されている。圧縮機６は、低温且つ低圧の状態の冷媒を吸入し、吸入した冷媒を圧縮して高温且つ高圧の状態の冷媒にして吐出するものである。流路切替装置７は、冷媒回路４において冷媒が流れる方向を切り替えるものであり、例えば四方弁である。室外熱交換器８は、例えば室外空気と冷媒との間で熱交換するものである。室外熱交換器８は、冷房運転時には凝縮器として作用し、暖房運転時には蒸発器として作用する。
【００１２】
室外熱交換器８は、互いに流路が並列する第１の熱交換器８ａと第２の熱交換器８ｂとを有している。第１の熱交換器８ａは、例えば室外熱交換器８の上部であり、第２の熱交換器８ｂは、例えば室外熱交換器８の下部である。室外送風機９は、室外熱交換器８に室外空気を送る機器である。膨張部１０は、冷媒を減圧して膨張する減圧弁又は膨張弁である。膨張部１０は、例えば開度が調整される電子式膨張弁である。弁１５は、冷媒の流れを第１の熱交換器８ａ側又は第２の熱交換器８ｂ側に切り替えるものであり、例えば第１の三方弁１５ａと第２の三方弁１５ｂとを有する。第１の三方弁１５ａは、流路切替装置７と、第１の熱交換器８ａと、圧縮機６の吸入側とを接続するものである。第２の三方弁１５ｂは、流路切替装置７と、第２の熱交換器８ｂと、圧縮機６の吸入側とを接続するものである。
【００１３】
バイパス配管１３は、圧縮機６の吐出側と流路切替装置７との間と、第１の三方弁１５ａ及び第２の三方弁１５ｂとの間とを接続するものである。バイパス配管１３には、圧縮機６から吐出された高温の冷媒が流入する。バイパス流量調整装置１４は、バイパス配管１３に設けられ、バイパス配管１３に流れる冷媒の量を調整する。
【００１４】
室内熱交換器１１は、例えば室内空気と冷媒との間で熱交換するものである。室内熱交換器１１は、冷房運転時には蒸発器として作用し、暖房運転時には凝縮器として作用する。室内送風機１２は、室内熱交換器１１に室内空気を送る機器である。
【００１５】
（運転モード、冷房運転）
次に、空気調和機１の運転モードについて説明する。本実施の形態１の空気調和機１は、運転モードとして、冷房運転、暖房運転及び暖房デフロスト運転を有している。先ず、冷房運転について説明する。冷房運転において、圧縮機６に吸入された冷媒は、圧縮機６によって圧縮されて高温且つ高圧のガス状態で吐出する。圧縮機６から吐出された高温且つ高圧のガス状態の冷媒は、流路切替装置７を通過したあと分岐して、それぞれ第１の三方弁１５ａと第２の三方弁１５ｂとに流入する。第１の三方弁１５ａに流入した冷媒は、凝縮器として作用する室外熱交換器８のうち第１の熱交換器８ａに流れる。このとき、冷媒は、第１の熱交換器８ａにおいて、室外送風機９によって送られる室外空気と熱交換されて凝縮して液化する。一方、第２の三方弁１５ｂに流入した冷媒は、凝縮器として作用する室外熱交換器８のうち第２の熱交換器８ｂに流れる。このとき、冷媒は、第２の熱交換器８ｂにおいて、室外送風機９によって送られる室外空気と熱交換されて凝縮して液化する。
【００１６】
凝縮されたそれぞれの液状態の冷媒は、第１の熱交換器８ａ及び第２の熱交換器８ｂから流出したあと合流し、膨張部１０に流入する。膨張部１０に流入した冷媒は、膨張部１０において膨張及び減圧されて低温且つ低圧の気液二相状態の冷媒となる。そして、気液二相状態の冷媒は、蒸発器として作用する室内熱交換器１１に流入し、室内熱交換器１１において、室内送風機１２によって送られる室内空気と熱交換されて蒸発してガス化する。このとき、室内空気が冷やされ、室内において冷房が実施される。蒸発した低温且つ低圧のガス状態の冷媒は、流路切替装置７を通過して、圧縮機６に吸入される。
【００１７】
（運転モード、暖房運転）
次に、暖房運転について説明する。暖房運転において、圧縮機６に吸入された冷媒は、圧縮機６によって圧縮されて高温且つ高圧のガス状態で吐出する。圧縮機６から吐出された高温且つ高圧のガス状態の冷媒は、流路切替装置７を通過して、凝縮器として作用する室内熱交換器１１に流入し、室内熱交換器１１において、室内送風機１２によって送られる室内空気と熱交換されて凝縮して液化する。このとき、室内空気が暖められ、室内において暖房が実施される。凝縮された液状態の冷媒は、膨張部１０に流入し、膨張部１０において膨張及び減圧されて低温且つ低圧の気液二相状態の冷媒となる。そして、気液二相状態の冷媒は、分岐してそれぞれ第１の熱交換器８ａ及び第２の熱交換器８ｂに流入する。
【００１８】
第１の熱交換器８ａに流入した冷媒は、蒸発器として作用する第１の熱交換器８ａにおいて、室外送風機９によって送られる室外空気と熱交換されて蒸発してガス化する。蒸発した低温且つ低圧のガス状態の冷媒は、第１の三方弁１５ａを通過する。一方、第２の熱交換器８ｂに流入した冷媒は、蒸発器として作用する第２の熱交換器８ｂにおいて、室外送風機９によって送られる室外空気と熱交換されて蒸発してガス化する。蒸発した低温且つ低圧のガス状態の冷媒は、第２の三方弁１５ｂを通過する。第１の三方弁１５ａ及び第２の三方弁１５ｂを通過した冷媒は、合流し、圧縮機６に吸入される。
【００１９】
（運転モード、暖房デフロスト運転）
次に、暖房デフロスト運転について説明する。暖房運転が行われている場合、室外熱交換器８に霜が付着する場合がある。暖房デフロスト運転において、空気調和機１は、暖房運転を継続しつつ、第１の三方弁１５ａ及び第２の三方弁１５ｂを切り替えて、第１の熱交換器８ａと第２の熱交換器８ｂとを交互にデフロストする。先ず、第１の熱交換器８ａが除霜される場合について説明する。暖房デフロスト運転において、圧縮機６に吸入された冷媒は、圧縮機６によって圧縮されて高温且つ高圧のガス状態で吐出する。圧縮機６から吐出された高温且つ高圧のガス状態の冷媒は、分岐して、それぞれ流路切替装置７とバイパス配管１３とに流れる。
【００２０】
流路切替装置７に流れる冷媒は、凝縮器として作用する室内熱交換器１１に流入し、室内熱交換器１１において、室内送風機１２によって送られる室内空気と熱交換されて凝縮して液化する。このとき、室内空気が暖められ、室内において暖房が実施される。凝縮された液状態の冷媒は、膨張部１０に流入し、膨張部１０において膨張及び減圧されて低温且つ低圧の気液二相状態の冷媒となる。そして、気液二相状態の冷媒は、第１の熱交換器８ａから流出した冷媒と合流して、第２の熱交換器８ｂに流入する。第２の熱交換器８ｂに流入した冷媒は、蒸発器として作用する第２の熱交換器８ｂにおいて、室外送風機９によって送られる室外空気と熱交換されて蒸発してガス化する。蒸発した低温且つ低圧のガス状態の冷媒は、第２の三方弁１５ｂを通過して圧縮機６に吸入される。
【００２１】
一方、バイパス配管１３に流れる冷媒は、バイパス流量調整装置１４によって減圧される。減圧された高温の冷媒は、第１の三方弁１５ａを通過して、第１の熱交換器８ａに流入する。高温の冷媒は、第１の熱交換器８ａに付着した霜を除去する。第１の熱交換器８ａから流出した冷媒は、膨張部１０から流出した冷媒と合流して、第２の熱交換器８ｂに流れる。
【００２２】
次に、第２の熱交換器８ｂが除霜される場合について説明する。暖房デフロスト運転において、圧縮機６に吸入された冷媒は、圧縮機６によって圧縮されて高温且つ高圧のガス状態で吐出する。圧縮機６から吐出された高温且つ高圧のガス状態の冷媒は、分岐して、それぞれ流路切替装置７とバイパス配管１３とに流れる。
【００２３】
流路切替装置７に流れる冷媒は、凝縮器として作用する室内熱交換器１１に流入し、室内熱交換器１１において、室内送風機１２によって送られる室内空気と熱交換されて凝縮して液化する。このとき、室内空気が暖められ、室内において暖房が実施される。凝縮された液状態の冷媒は、膨張部１０に流入し、膨張部１０において膨張及び減圧されて低温且つ低圧の気液二相状態の冷媒となる。そして、気液二相状態の冷媒は、第２の熱交換器８ｂから流出した冷媒と合流して、第１の熱交換器８ａに流入する。第１の熱交換器８ａに流入した冷媒は、蒸発器として作用する第１の熱交換器８ａにおいて、室外送風機９によって送られる室外空気と熱交換されて蒸発してガス化する。蒸発した低温且つ低圧のガス状態の冷媒は、第１の三方弁１５ａを通過して圧縮機６に吸入される。
【００２４】
一方、バイパス配管１３に流れる冷媒は、バイパス流量調整装置１４によって減圧される。減圧された高温の冷媒は、第２の三方弁１５ｂを通過して、第２の熱交換器８ｂに流入する。高温の冷媒は、第２の熱交換器８ｂに付着した霜を除去する。第２の熱交換器８ｂから流出した冷媒は、膨張部１０から流出した冷媒と合流して、第１の熱交換器８ａに流れる。
【００２５】
（筐体２０）
図２は、実施の形態１に係る室外機２を示す組立正面斜視図であり、図３は、実施の形態１に係る室外機２を示す組立背面斜視図である。次に、室外機２について説明する。図２に示すように、室外機２は、筐体２０と、内部構成部材３０とを有している。筐体２０は、前面パネル２１、側面パネル２２、天面パネル２３、ファンガード２４及びサービスパネル２２ｂを有している。前面パネル２１は、内部構成部材３０の前面及び一側面を覆う断面Ｌ字状の板金である。前面パネル２１における内部構成部材３０の前面側には、空気が吹き出される開口部２１ａが形成されている。前面パネル２１における内部構成部材３０の一側面側には、空気が吸い込まれるバーリング形状の長穴２１ｂが形成されている。側面パネル２２は、内部構成部材３０の他側面を覆う板金である。側面パネル２２には、サービス開口２２ａが形成されている（図４参照）。
【００２６】
天面パネル２３は、内部構成部材３０の上面を覆う板金である。ファンガード２４は、前面パネル２１に形成された開口部２１ａを塞ぐように設けられた格子状の部材であり、室外機２の内部に異物が侵入することを抑制する。サービスパネル２２ｂは、側面パネル２２に取り付けられ、室外機２を点検する際に取り外される。作業者は、室外機２を点検する際、サービスパネル２２ｂを取り外して、側面パネル２２に形成されたサービス開口２２ａから室外機２の内部を点検する（図４参照）。
【００２７】
（内部構成部材３０）
図４は、実施の形態１に係る室外機２を示す分解正面斜視図である。次に、内部構成部材３０について説明する。図４に示すように、内部構成部材３０は、底板３１と、圧縮機６と、室外熱交換器８と、モータ支持部品３２と、室外送風機９と、仕切板３３と、電気品箱３４と、冷媒配管５と、電子部品４０と、弁１５と、落下抑制部５０とを有している。底板３１は、室外機２の底面を構成する部材である。ここで、前面パネル２１、側面パネル２２、天面パネル２３、底板３１及び室外熱交換器８によって、室外機２の外郭が構成されている。
【００２８】
圧縮機６は、底板３１上に設けられている。室外熱交換器８は、例えば断面Ｌ字状をなしており、底板３１上に設けられて内部構成部材３０の他側面側である室外機２の他側面及び背面を構成する。なお、室外熱交換器８は、筐体２０と共に内部に中空部２０ａを形成している。モータ支持部品３２は、室外機２の背面を構成する部分の室外熱交換器８の前方に設けられ、室外送風機９を回転駆動させるファンモータ９ａを支持する。室外送風機９は、中空部２０ａにおいてモータ支持部品３２に取り付けられ、室外機２の背面から空気を吸いこんで室外熱交換器８に送る風路を形成する。仕切板３３は、中空部２０ａにおいて筐体２０の奥行方向に延びた板金であり、底板３１上から上方に延在する。また、仕切板３３は、筐体２０の奥行方向に延びたあと室外熱交換器８に沿って幅方向に延びる断面Ｌ字状をなしている。仕切板３３は、室外機２内部を送風室２５と機械室２６とに区画する。
【００２９】
ここで、送風室２５には、室外熱交換器８及び室外送風機９が設けられ、機械室２６には、圧縮機６、圧縮機６に接続された冷媒配管５、電子部品４０、弁１５及び落下抑制部５０が設けられている。電気品箱３４は、弁１５の上方に配置され、圧縮機６及び室外送風機９の動作を制御する電気部品を収納するものであり、仕切板３３の上端に設けられている。電気品箱３４には、例えば電解コンデンサ等の比較的高さが高い電気部品（図示せず）が実装された制御基板（図示せず）が収納されている。電気品箱３４は、サービス時に点灯する表示部（図示せず）を有している。表示部は、例えばＬＥＤランプであり、制御基板上に設けられている。
【００３０】
図５は、実施の形態１に係る室外機２において前面パネル２１、側面パネル２２及び天面パネル２３が外された斜視図である。図６は、実施の形態１に係る室外機２において前面パネル２１、側面パネル２２、天面パネル２３及び落下抑制部５０が外された斜視図である。図７は、実施の形態１に係る冷媒配管５及び落下抑制部５０を示す上面図である。図５〜図７に示すように、冷媒配管５は、前述の如く、圧縮機６、流路切替装置７、室外熱交換器８、膨張部１０及び室内熱交換器１１を接続するものであり、室外機２の機械室２６の下方から上方に渡って張り巡らされている。本実施の形態１における電子部品４０は、例えば、リアクター４１、膨張部１０、流路切替装置７を切り替える四方弁コイル４２、及びバイパス流量調整装置１４である。
【００３１】
図８は、実施の形態１に係る冷媒配管５を示す斜視図であり、図９は、実施の形態１に係る冷媒配管５を示す上面図である。弁１５は、前述の如く、冷媒の流れを第１の熱交換器８ａ側又は第２の熱交換器８ｂ側に切り替えるものであり、例えば第１の三方弁１５ａと第２の三方弁１５ｂとを有する。図８及び図９に示すように、第１の三方弁１５ａ及び第２の三方弁１５ｂは、機械室２６において冷媒配管５に接続され、電子部品４０よりも上方に配置されている。第１の三方弁１５ａ及び第２の三方弁１５ｂには、それぞれ第１の三方弁１５ａ及び第２の三方弁１５ｂを切り替える三方弁コイル４３が設けられている。
【００３２】
図８に示すように、機械室２６における下方から上方にかけて、膨張部１０、流路切替装置７、四方弁コイル４２、リアクター４１、バイパス流量調整装置１４、第１の三方弁１５ａ、第２の三方弁１５ｂ及び三方弁コイル４３の順に配置されている。図９に示すように、冷媒配管５が取り回されている位置の下方に、リアクター４１及びバイパス流量調整装置１４等が配置されている。なお、各部品の幅方向の位置関係、奥行方向の位置関係及び奥行方向の位置関係は、一例であり、それぞれの位置関係は異なっていてもよい。ここで、電子部品４０は、弁１５に接続された冷媒配管５の直下ではない位置で、且つ弁１５に接続された冷媒配管５の直下ではない位置に配置されている。
【００３３】
図１０は、実施の形態１に係る落下抑制部５０を示す斜視図である。図１１は、実施の形態１に係る落下抑制部５０を示す斜視図である。図１２は、実施の形態１に係る落下抑制部５０を示す展開斜視図である。落下抑制部５０は、第１の三方弁１５ａ及び第２の三方弁１５ｂを有する弁１５の下方を覆い、冷媒配管５から滴下する水が電子部品４０に落下することを抑制する。ここで、落下抑制部５０は、例えば、弁１５から滴下する水を吸収する。また、落下抑制部５０は、撥水してその場で水滴を保持する機能を有する。更に、落下抑制部５０は、冷媒配管５から滴下する水を、下方の空間のうち電子部品４０がない位置に落下させる機能も有する。ここで、落下抑制部５０は、例えばフェルトであるが、圧縮機６の吸音材として使用される繊維を主成分とする材料が用いられてもよい。図１０〜図１２に示すように、落下抑制部５０は、帯部５１と、保護部５５と、折返し部５６と、係合部５７とを有している。なお、落下抑制部５０は、筒状であってもよい。
【００３４】
帯部５１は、幅方向に延びる長尺状の部材であり、弁１５の下方、側方及び上方を覆うようにくるみ、弁１５の側方の端部が仕切板３３と接触することを抑制する（図５参照）。帯部５１には、弁１５に接続された冷媒配管５が挿入されるスリット５２が形成されている。スリット５２により、弁１５に接続された冷媒配管５に妨げられずに、帯部５１が弁１５をくるむ。スリット５２は、例えば第１のスリット５２ａと、第２のスリット５２ｂと、第３のスリット５２ｃとからなる。
【００３５】
第１のスリット５２ａは、帯部５１の長手方向の他端側において、室外機２の背面側から前面側に向けて延びるように切り欠かれたものであり、図８に示す冷媒配管５のうち、冷媒配管５Ａが挿入される。第２のスリット５２ｂは、第１のスリット５２ａに隣接し、室外機２の背面側から前面側に向けて延びるように切り欠かれたものである。第２のスリット５２ｂは、第１のスリット５２ａより短く、図８に示す冷媒配管５のうち、冷媒配管５Ｂが挿入される。第３のスリット５２ｃは、第２のスリット５２ｂに隣接し、室外機２の背面側から前面側に向けて延びるように切り欠かれたものである。第３のスリット５２ｃは、第２のスリット５２ｂと同じ長さであり、図８に示す冷媒配管５のうち、冷媒配管５Ｃが挿入される。
【００３６】
帯部５１には、電気部品回避空間５３が形成されている。電気部品回避空間５３は、展開された状態で第３のスリット５２ｃよりも一端側において、室外機２の背面側から前面側に向けて第１の傾斜面５３ａを有する台形状に切り欠かれたものである。電気部品回避空間５３は、帯部５１が弁１５に巻き付けられたときに、天面パネル２３側に位置する。電気部品回避空間５３は、電気品箱３４が有する電気部品が挿入される。具体的には、電気部品回避空間５３は、電気品箱３４に収納された制御基板に実装されて制御基板から突出した電解コンデンサ（図示せず）等が挿入される。
【００３７】
帯部５１には、表示部回避空間５４が形成されている。表示部回避空間５４は、展開された状態で第３のスリット５２ｃと電気部品回避空間５３との間において、室外機２の前面側から背面側に向けて第２の傾斜面５４ａを有する台形状に切り欠かれたものである。このように、表示部回避空間５４は、電気部品回避空間５３と類似した形状をなしている。なお、第１の傾斜面５３ａと第２の傾斜面５４ａとは、平行である。なお、第１の傾斜面５３ａと第２の傾斜面５４ａとは、平行でなくてもよい。これにより、帯部５１において電気部品回避空間５３及び表示部回避空間５４が切り欠かれても、電気部品回避空間５３と表示部回避空間５４との間の距離を確保することができる。
【００３８】
表示部回避空間５４は、帯部５１が弁１５に巻き付けられたときに、天面パネル２３側に位置する。表示部回避空間５４は、筐体２０の外側から電気品箱３４の表示部を視認することを許容する。具体的には、作業者が室外機２を点検する際、サービスパネル２２ｂを取り外す。このとき、作業者は、側面パネル２２のサービス開口２２ａから、電気品箱３４の表示部を視認する。表示部回避空間５４は、作業者が表示部を視認するときの視線の途中に形成されており、作業者が表示部を視認することを妨げず、視認性を確保する。
【００３９】
保護部５５は、くるんだ状態で帯部５１から上方に延び、弁１５の奥行方向の端部が仕切板３３と接触することを抑制するものである。保護部５５は、展開された状態で第３のスリット５２ｃと電気部品回避空間５３との間に設けられ、直方体状をなしている。保護部５５は、帯部５１が弁１５に巻き付けられた後、奥側から上方に９０°折り曲げられることにより、弁１５と仕切板３３との間に挿入される（図７参照）。これにより、室外機２が輸送される際に揺れたり、室外機２が誤って取り扱われる際に落下した衝撃が生じたりしても、弁１５と仕切板３３とが接触することを抑制する。
【００４０】
折返し部５６は、帯部５１の一端部において折り返されたものである。折返し部５６は、帯部５１の一端部の一部に切り込みが入れられ、切り込みが入れられた部分が１８０°折り返されたものである。折返し部５６は、ステッチ部５６ａにおいて縫い付けられているため、折り返された状態が保持されている。係合部５７は、帯部５１の他端部から突出した直方体状の部材であり、帯部５１の他端部において、帯部５１が弁１５をくるむ際、折返し部５６に係合するストッパである。
【００４１】
具体的には、折返し部５６が１８０°折り返されたときに形成された段差部５６ｂが、係合部５７に引っ掛かる。これにより、落下抑制部５０は、弁１５に巻き付けられた状態が保持される。なお、帯部５１の一端部のうち折返し部５６を除く部分である隙間挿入部５８は、帯部５１が弁１５に巻き付けられた際に、帯部５１の他端部のうち係合部５７を除く部分である隙間確保部５９と仕切板３３との間の空間に入り込む。
【００４２】
次に、落下抑制部５０が弁１５をくるむ動作について説明する。帯部５１の他端側が仕切板３３側と対向するように配置された状態で、帯部５１の第１のスリット５２ａ、第２のスリット５２ｂ及び第３のスリット５２ｃに、それぞれ冷媒配管５Ａ、冷媒配管５Ｂ及び冷媒配管５Ｃが挿入される。そして、保護部５５は、奥側から上方に９０°折り曲げられて、弁１５と仕切板３３との間に挿入される。
【００４３】
また、帯部５１の一端側が側面パネル２２側から天面パネル２３側に向けて９０°折り曲げられ、弁１５の側方を覆いつつ、天面パネル２３側から仕切板３３側に向けて更に９０°折り曲げられる。そして、帯部５１が弁１５の上方を覆いつつ、折返し部５６が係合部５７と係合する。これにより、落下抑制部５０は、筒状をなす。なお、折返し部５６及び隙間挿入部５８は、仕切板３３と弁１５又は仕切板３３と冷媒配管５との間に嵌め込まれることにより、落下抑制部５０が機械室２６内に固定される。
【００４４】
本実施の形態１によれば、落下抑制部５０は、電子部品４０よりも上方に配置される冷媒配管５及び弁１５の下方を覆っている。このため、弁１５に接続された冷媒配管５が結露しても、落下抑制部５０によって露が下方の電子部品４０に落下することを抑制することができる。例えば、落下抑制部５０は、弁１５から滴下する水を吸収することによって、水が下方の電子部品４０に落下することを抑制する。また、落下抑制部５０は、撥水してその場で水滴を保持する機能及び冷媒配管５から滴下する水を下方の空間のうち電子部品４０がない位置に落下させる機能も有する。このように、落下抑制部５０は、水が下方の電子部品４０に落下することを抑制する。以上説明したとおり、落下抑制部５０は、電子部品４０の通電部への露垂れを抑制するため、電気ショートが発生することを抑制することができる。
【００４５】
また、仕切板３３は、筐体２０の奥行方向に延び、落下抑制部５０は、弁１５の下方、側方及び上方を覆うようにくるむ帯状の帯部５１を有する。これにより、弁１５の側方の端部が仕切板３３と接触することを抑制する。更に、仕切板３３は、筐体２０の幅方向に延び、落下抑制部５０は、帯部５１から上方に延び、弁１５の奥行方向の端部が仕切板３３と接触することを抑制する保護部５５を更に有する。これにより、室外機２が輸送される際に揺れたり、室外機２が誤って取り扱われる際に落下した衝撃が生じたりしても、弁１５と仕切板３３とが接触することを抑制する。
【００４６】
帯部５１には、弁１５に接続された冷媒配管５が挿入されるスリット５２が形成されている。これにより、帯部５１は、冷媒配管５自体に保持されるため、別途支持部材を必要としない。落下抑制部５０は、帯部５１の一端部において折り返された折返し部５６と、帯部５１の他端部において、帯部５１が弁１５をくるむ際、折返し部５６に係合する係合部５７と、を更に有する。これにより、落下抑制部５０は、筒状をなした状態で、保持される。
【符号の説明】
【００４７】
１  空気調和機、２  室外機、３  室内機、４  冷媒回路、５，５Ａ，５Ｂ，５Ｃ  冷媒配管、６  圧縮機、７  流路切替装置、８  室外熱交換器、８ａ  第１の熱交換器、８ｂ  第２の熱交換器、９  室外送風機、９ａ  ファンモータ、１０  膨張部、１１  室内熱交換器、１２  室内送風機、１３  バイパス配管、１４  バイパス流量調整装置、１５  弁、１５ａ  第１の三方弁、１５ｂ  第２の三方弁、２０  筐体、２０ａ  中空部、２１  前面パネル、２１ａ  開口部、２１ｂ  長穴、２２  側面パネル、２２ａ  サービス開口、２２ｂ  サービスパネル、２３  天面パネル、２４  ファンガード、２５  送風室、２６  機械室、３０  内部構成部材、３１  底板、３２  モータ支持部品、３３  仕切板、３４  電気品箱、４０  電子部品、４１  リアクター、４２  四方弁コイル、４３  三方弁コイル、５０  落下抑制部、５１  帯部、５２  スリット、５２ａ  第１のスリット、５２ｂ  第２のスリット、５２ｃ  第３のスリット、５３  電気部品回避空間、５３ａ  第１の傾斜面、５４  表示部回避空間、５４ａ  第２の傾斜面、５５  保護部、５６  折返し部、５６ａ  ステッチ部、５６ｂ  段差部、５７  係合部、５８  隙間挿入部、５９  隙間確保部。
【図１】
2021019758.tif 000003
【図２】
2021019758.tif 000004
【図３】
2021019758.tif 000005
【図４】
2021019758.tif 000006
【図５】
2021019758.tif 000007
【図６】
2021019758.tif 000008
【図７】
2021019758.tif 000009
【図８】
2021019758.tif 000010
【図９】
2021019758.tif 000011
【図１０】
2021019758.tif 000012
【図１１】
2021019758.tif 000013
【図１２】
2021019758.tif 000014
【手続補正書】
【提出日】令和3年8月13日(2021.8.13)
【手続補正１】
【補正対象書類名】明細書
【補正対象項目名】０００６
【補正方法】変更
【補正の内容】
【０００６】
本発明に係る空気調和機の室外機は、筐体と、筐体内に設けられ、冷媒を圧縮する圧縮機と、筐体内に設けられ、冷媒と空気との間で熱交換を行う室外熱交換器と、筐体内に設けられ、筐体内を、送風室と、圧縮機が設けられる機械室とに区画する仕切板と、機械室に設けられる電子部品と、機械室に設けられ、圧縮機と室外熱交換器とを接続し、電子部品よりも上方に配置される冷媒配管と、機械室において冷媒配管に接続され、電子部品よりも上方に配置される弁と、冷媒配管を覆うとともに、弁の下方、側方及び上方を覆うようにくるみ、冷媒配管から滴下する水が電子部品に落下することを抑制する落下抑制部と、を備える。
【手続補正２】
【補正対象書類名】特許請求の範囲
【補正対象項目名】全文
【補正方法】変更
【補正の内容】
【特許請求の範囲】
【請求項１】
筐体と、
前記筐体内に設けられ、冷媒を圧縮する圧縮機と、
前記筐体内に設けられ、冷媒と空気との間で熱交換を行う室外熱交換器と、
前記筐体内に設けられ、前記筐体内を、送風室と、前記圧縮機が設けられる機械室とに区画する仕切板と、
前記機械室に設けられる電子部品と、
前記機械室に設けられ、前記圧縮機と前記室外熱交換器とを接続し、前記電子部品よりも上方に配置される冷媒配管と、
前記機械室において前記冷媒配管に接続され、前記電子部品よりも上方に配置される弁と、
前記冷媒配管を覆うとともに、前記弁の下方、側方及び上方を覆うようにくるみ、前記冷媒配管から滴下する水が前記電子部品に落下することを抑制する落下抑制部と、
を備える空気調和機の室外機。
【請求項２】
前記仕切板は、前記筐体の奥行方向に延び、
前記落下抑制部は、
前記弁の側方の端部が前記仕切板と接触することを抑制する帯状の帯部を有する
請求項１記載の空気調和機の室外機。
【請求項３】
前記仕切板は、前記筐体の幅方向に延び、
前記落下抑制部は、
前記帯部から上方に延び、前記弁の奥行方向の端部が前記仕切板と接触することを抑制する保護部を更に有する
請求項２記載の空気調和機の室外機。
【請求項４】
前記帯部には、
前記弁に接続された前記冷媒配管が挿入されるスリットが形成されている
請求項２又は３記載の空気調和機の室外機。
【請求項５】
前記弁の上方に配置され、前記圧縮機の動作を制御する電気部品を有する電気品箱を更に備え、
前記帯部には、
前記電気部品が挿入されるように切り欠かれた電気部品回避空間が形成されている
請求項２〜４のいずれか１項に記載の空気調和機の室外機。
【請求項６】
前記弁の上方に配置され、前記圧縮機の動作を制御する電気部品を有する電気品箱を更に備え、
前記電気品箱は、
サービス時に点灯する表示部を有し、
前記帯部には、
前記筐体の外側から前記表示部を視認することを許容するように切り欠かれた表示部回避空間が形成されている
請求項２〜５のいずれか１項に記載の空気調和機の室外機。
【請求項７】
前記落下抑制部は、
前記帯部の一端部において折り返された折返し部と、
前記帯部の他端部において、前記帯部が前記弁をくるむ際、前記折返し部に係合する係合部と、を更に有する
請求項２〜６のいずれか１項に記載の空気調和機の室外機。
【請求項８】
前記落下抑制部は、
前記圧縮機の吸音材として使用される繊維を主成分とする材料から構成されている
請求項１〜７のいずれか１項に記載の空気調和機の室外機。
【請求項９】
前記落下抑制部は、フェルトである
請求項１〜８のいずれか１項に記載の空気調和機の室外機。
【請求項１０】
冷媒の流れを切り替える流路切替装置及び冷媒を膨張する膨張部を更に備える請求項１〜９のいずれか１項に記載の空気調和機の室外機と、
冷媒と空気との間で熱交換を行う室内熱交換器を有する室内機と、を備え、
前記室外熱交換器は、
互いに流路が並列する第１の熱交換器と第２の熱交換器とを有し、
前記圧縮機、前記流路切替装置、前記室内熱交換器、前記膨張部、前記室外熱交換器、冷媒の流れを前記第１の熱交換器側又は前記第２の熱交換器側に切り替える前記弁、及び、前記圧縮機と前記流路切替装置との間と前記弁とを接続するバイパス配管が前記冷媒配管によって接続される冷媒回路が形成されている
空気調和機。
【国際調査報告】
2021019758.tif 000015
2021019758.tif 000016
2021019758.tif 000017
2021019758.tif 000018